(57)【特許請求の範囲】
【請求項１】
複数の画素を有する表示部と、
前記表示部に画像を表示させる際に用いる制御値ｃの初期値を取得する制御値取得部と、
前記表示部の画像が書き換えられる毎に制御値ｃを減ずる演算部と、
制御値ｃの値に応じて複数の駆動方法から一の駆動方法を選択し、選択した前記駆動方法を用いて前記表示部の画像を書き換える制御部と、を備え、
制御値ｃは整数であり、
前記複数の画素のうち一の画素は、第１の電極と、前記第１の電極と対向する第２の電極と、前記第１の電極と前記第２の電極との間に挟持された電気光学物質層とを有しており、
前記制御部は、第１の消去動作と第２の消去動作と画像表示動作とを実行する第１の駆動方法と、消去動作と画像表示動作とを実行する第２の駆動方法と、前記表示部に表示されている画像と新たな画像との差分画像を表示させる差分画像表示動作を実行する第３の駆動方法とを備え、
制御値ｃの初期値に対応した回数の画像書き換えを行うに際して、制御値ｃが所定値Ｌ（Ｌは任意の整数）以上かつ所定値Ｍ（ＭはＬ＋１以上の整数）未満であるときに前記第１の駆動方法を選択し、制御値ｃが所定値Ｍ以上かつ所定値Ｎ（ＮはＭ＋１以上の整数）未満であるときに前記第２の駆動方法を選択し、制御値ｃが所定値Ｎ以上であるときに前記第３の駆動方法を選択することを特徴とする電気光学装置。
【請求項２】
前記第２の駆動方法が、
前記表示部の全体を第１の階調に移行させる前記消去動作の後に、前記複数の画素のうち少なくとも一部の画素を前記第１の階調と異なる第２の階調に移行させる前記画像表示動作を実行する第１の態様と、
前記表示部の全体を前記第２の階調に移行させる前記消去動作の後に、前記複数の画素のうち少なくとも一部の画素を前記第１の階調に移行させる前記画像表示動作を実行する第２の態様と、を含むことを特徴とする請求項１に記載の電気光学装置。
【請求項３】
複数の画素を有する表示部と、
前記表示部に画像を表示させる際に用いる制御値ｃの初期値を取得する制御値取得部と、
前記表示部の画像が書き換えられる毎に制御値ｃを減ずる演算部と、
制御値ｃの値に応じて複数の駆動方法から一の駆動方法を選択し、選択した前記駆動方法を用いて前記表示部の画像を書き換える制御部と、を備え、
制御値ｃは整数であり、
前記複数の画素のうち一の画素は、第１の電極と、前記第１の電極と対向する第２の電極と、前記第１の電極と前記第２の電極との間に挟持された電気光学物質層とを有しており、
前記制御部は、第１の消去動作と第２の消去動作と画像表示動作とを、表示させる階調に応じて前記第２の電極の電位を切り換えながら実行する第１の駆動方法と、前記第２の電極を一定電位に保持した状態で前記表示部に表示されている画像と次に表示される画像との差分画像を書き込む差分画像表示動作を実行する第２の駆動方法とを備え、
制御値ｃの初期値に対応した回数の画像書き換えを行うに際して、制御値ｃが所定値Ｌ（Ｌは任意の整数）以上かつ所定値Ｍ（ＭはＬ＋１以上の整数）未満であるときに前記第１の駆動方法を選択し、制御値ｃが所定値Ｍ以上であるときに前記第２の駆動方法を選択することを特徴とする電気光学装置。
【請求項４】
前記制御値取得部は、当該電気光学装置に接続された入力装置から供給される入力信号パルスを所定期間計測し、計測されたパルス数に基づいて制御値ｃの初期値を設定することを特徴とする請求項１から３のいずれか１項に記載の電気光学装置。
【請求項５】
前記第１の駆動方法は、制御値ｃが所定値Ｍ以上の時に前記複数の駆動方法から選択された駆動方法よりも低速であることを特徴とする請求項１から３のいずれか１項に記載の電気光学装置。
【請求項６】
前記所定値Ｌは１であることを特徴とする請求項１から５のいずれか１項に記載の電気光学装置。
【発明の詳細な説明】
【技術分野】
【０００１】
本発明は、電気光学装置に関するものである。
【背景技術】
【０００２】
記憶型の表示素子を備えた電気光学装置の一態様である電気泳動表示装置では、表示部の表示画像を更新する際に、更新前の画像（前画像）を消去して例えば全面を白表示とした後、次に表示する画像のうち黒表示部分を書き込む動作を複数フレームにわたって実行していた（例えば特許文献１参照）。
【先行技術文献】
【特許文献】
【０００３】
【特許文献１】特開２００２−１４９１１５号公報
【発明の概要】
【発明が解決しようとする課題】
【０００４】
しかし上記の駆動方法では、表示部に対して同じ画像を複数回書き込む動作を行うため、表示の更新に時間がかかるという問題があり、特に表示部の画素数が多い場合に顕著であった。そのため、画像を高速に更新しながら複数の画像を連続的に表示することができないという課題があった。本明細書では、複数の画像を連続的に表示することを、連続表示と呼ぶ。
【０００５】
本発明は、上記従来技術の問題点に鑑み成されたものであって、高速な連続表示を可能とした電気光学装置とその駆動方法を提供することを目的の一つとする。
【課題を解決するための手段】
【０００６】
本発明の電気光学装置は、複数の画素を有する表示部と、前記表示部に画像を表示させる際に用いる制御値ｃの初期値を取得する制御値取得部と、前記表示部の画像が書き換えられる毎に制御値ｃを減ずる演算部と、制御値ｃの値に応じて複数の駆動方法から一の駆動方法を選択し、選択した前記駆動方法を用いて前記表示部の画像を書き換える制御部と、を備え、制御値ｃは整数であり、前記複数の画素のうち一の画素は、第１の電極と、前記第１の電極と対向する第２の電極と、前記第１の電極と前記第２の電極との間に挟持された電気光学物質層とを有しており、前記制御部は、第１の消去動作と第２の消去動作と画像表示動作とを実行する第１の駆動方法と、消去動作と画像表示動作とを実行する第２の駆動方法と、前記表示部に表示されている画像と新たな画像との差分画像を表示させる差分画像表示動作を実行する第３の駆動方法とを備え、制御値ｃの初期値に対応した回数の画像書き換えを行うに際して、制御値ｃが所定値Ｌ（Ｌは任意の整数）以上かつ所定値Ｍ（ＭはＬ＋１以上の整数）未満であるときに前記第１の駆動方法を選択し、制御値ｃが所定値Ｍ以上かつ所定値Ｎ（ＮはＭ＋１以上の整数）未満であるときに前記第２の駆動方法を選択し、制御値ｃが所定値Ｎ以上であるときに前記第３の駆動方法を選択することを特徴とする。
【０００７】
この構成によれば、画像を書き換える度に減算される制御値ｃの値に応じて表示部の駆動方法を選択するので、連続的な画像書き換えを実行する際に、画像書き換え回数の残数に応じて適切な駆動方法を選択することができる。したがって、たとえば、画像書き換え回数の残数が多いときには、画像書き換え回数の残数が少ないときよりも高速な画像表示が可能な駆動方法を選択することが可能となる。言い換えれば、制御値ｃが大きいときには、制御値ｃが小さいときよりも高速な画像表示が可能な駆動方法を選択することが可能となる。その結果、高速な連続表示が可能な電気光学装置とすることができる。
【０００８】
制御値ｃがあらかじめ定められた下限値と等しいときに前記複数の駆動方法から選択された駆動方法は、制御値ｃが他の値のときに選択された駆動方法よりも低速である構成としてもよい。
通常、画像書き換えの速度を高めると、電気光学物質層への電圧印加期間が短くなったり、印加電圧が低くなったりするために表示品質が低下する。そこで、本構成のように、制御値ｃが下限値であるときに制御値ｃが他の値であるときよりも低速な駆動方法を選択するようにすることで、以降の表示が固定される最後の画像表示において高画質の表示を得ることができる。これにより、高速な連続表示と高画質の表示とを両立させることができる。
【０００９】
制御値ｃは整数であり、前記複数の画素のうち一の画素は、第１の電極と、前記第１の電極と対向する第２の電極と、前記第１の電極と前記第２の電極との間に挟持された電気光学物質層とを有しており、前記制御部は、第１の消去動作と第２の消去動作と画像表示動作とを実行する第１の駆動方法と、消去動作と画像表示動作とを実行する第２の駆動方法と、前記表示部に表示されている画像と新たな画像との差分画像を表示させる差分画像表示動作を実行する第３の駆動方法とを備え、制御値ｃの初期値に対応した回数の画像書き換えを行うに際して、制御値ｃが所定値Ｌ（Ｌは任意の整数）以上かつ所定値Ｍ（ＭはＬ＋１以上の整数）未満であるときに前記第１の駆動方法を選択し、制御値ｃが所定値Ｍ以上かつ所定値Ｎ（ＮはＭ＋１以上の整数）未満であるときに前記第２の駆動方法を選択し、制御値ｃが所定値Ｎ以上であるときに前記第３の駆動方法を選択する構成としてもよい。
この構成によれば、複数のページを連続表示させる際、画面を書き換える回数の残数に対応する制御値ｃが大きいときには比較的高速な表示を行い、制御値ｃが小さいとき（上記残数が少ないとき）には比較的低速ではあるが高画質の表示を行うことができるので、高速な連続表示と高画質の表示とを両立させることができる。
【００１０】
制御値ｃは整数であり、前記複数の画素のうち一の画素は、第１の電極と、前記第１の電極と対向する第２の電極と、前記第１の電極と前記第２の電極との間に挟持された電気光学物質層とを有しており、
前記制御部は、第１の消去動作と第２の消去動作と画像表示動作とを実行する第１の駆動方法と、消去動作と画像表示動作とを実行する第２の駆動方法と、を備え、制御値ｃの初期値に対応した回数の画像書き換えを行うに際して、制御値ｃが所定値Ｌ（Ｌは任意の整数）以上かつ所定値Ｍ（ＭはＬ＋１以上の整数）未満であるときに前記第１の駆動方法を選択し、制御値ｃが所定値Ｍ以上であるときに前記第２の駆動方法を選択する構成としてもよい。
この構成によれば、複数のページを連続表示させる際、画面を書き換える回数の残数に対応する制御値ｃが大きいときには比較的高速な表示を行い、制御値ｃが小さいとき（上記残数が少ないとき）には比較的低速ではあるが高画質の表示を行うことができるので、高速な連続表示と高画質の表示とを両立させることができる。
【００１１】
前記第２の駆動方法が、前記表示部の全体を第１の階調に移行させる前記消去動作の後に、前記複数の画素のうち少なくとも一部の画素を前記第１の階調と異なる第２の階調に移行させる前記画像表示動作を実行する第１の態様と、前記表示部の全体を前記第２の階調に移行させる前記消去動作の後に、前記複数の画素のうち少なくとも一部の画素を前記第１の階調に移行させる前記画像表示動作を実行する第２の態様と、を含む構成としてもよい。
かかる構成において、第１の態様と第２の態様とは、各動作において駆動される画素の階調値が異なるのみであるが、電気光学物質層の種類によっては、第１の態様と第２の態様とで表示状態や表示部の視認性が異なる場合がある。そこで、第１の態様と第２の態様の両方を備えた構成とすれば、電気光学物質層の特性や表示させる画像データに応じて第１の態様と第２の態様とを切り換えて用いることができるため、高画質の表示を得やすくなる。
【００１２】
制御値ｃは整数であり、前記複数の画素のうち一の画素は、第１の電極と、前記第１の電極と対向する第２の電極と、前記第１の電極と前記第２の電極との間に挟持された電気光学物質層とを有しており、前記制御部は、第１の消去動作と第２の消去動作と画像表示動作とを、表示させる階調に応じて前記第２の電極の電位を切り換えながら実行する第１の駆動方法と、前記第２の電極を一定電位に保持した状態で前記表示部に表示されている画像と次に表示される画像との差分画像を書き込む差分画像表示動作を実行する第２の駆動方法とを備え、制御値ｃの初期値に対応した回数の画像書き換えを行うに際して、制御値ｃが所定値Ｌ（Ｌは任意の整数）以上かつ所定値Ｍ（ＭはＬ＋１以上の整数）未満であるときに前記第１の駆動方法を選択し、制御値ｃが所定値Ｍ以上であるときに前記第２の駆動方法を選択する構成としてもよい。
この構成によれば、複数のページを連続表示させる際、画面を書き換える回数の残数に対応する制御値ｃが大きいときには比較的高速な表示を行い、制御値ｃが小さいとき（上記残数が少ないとき）には比較的低速ではあるが高画質の表示を行うことができるので、高速な連続表示と高画質の表示とを両立させることができる。
【００１３】
前記制御値取得部は、当該電気光学装置に接続された入力装置から供給される入力信号パルスを所定期間計測し、計測されたパルス数に基づいて制御値ｃの初期値を設定する構成としてもよい。
この構成によれば、入力装置を構成するボタンの押下回数やジョグダイヤルの回転角度に応じて制御値ｃの初期値が設定される構成とすることができる。
【００１４】
前記第１の駆動方法は、制御値ｃが所定値Ｍ以上の時に前記複数の駆動方法から選択された駆動方法よりも低速である構成としてもよい。
この構成によれば、制御値ｃが小さいときに比較的低速であるが高画質の表示を行うことができる。
【００１５】
前記所定値Ｌは１である構成としてもよい。
この構成によれば、固定表示される画像を書き込む際に適用される駆動方法を、比較的低速であるが高画質の表示を行うことができる駆動方法とすることができる。
【図面の簡単な説明】
【００１６】
【図１】第１実施形態に係る電子ブックリーダーの外観図。
【図２】電子ブックリーダーの内部構成を示す図。
【図３】電気光学パネルの電気的構成を示す図。
【図４】電子ブックリーダーにおけるページ切り換え処理のフローチャート。
【図５】パルスカウンタの動作フローを示す図。
【図６】駆動シーケンスを構成する各動作における駆動波形を示す図。
【図７】電気泳動素子の動作説明図。
【図８】駆動シーケンスを構成する各動作における駆動波形を示す図。
【図９】駆動シーケンスを構成する各動作における駆動波形を示す図。
【発明を実施するための形態】
【００１７】
（第１実施形態）
以下、図面を用いて本発明の電気光学装置について説明する。
なお、本発明の範囲は、以下の実施の形態に限定されるものではなく、本発明の技術的思想の範囲内で任意に変更可能である。また、以下の図面においては、各構成をわかりやすくするために、実際の構造と各構造における縮尺や数等を異ならせる場合がある。
【００１８】
本実施形態の電気泳動表示装置は、所定のページに区切られたドキュメントからなる電子ブック等を閲覧できる電子ブックリーダーである。
図１は、本実施形態の電子ブックリーダー１００の外観図である。図２は、本実施形態の電子ブックリーダー１００の内部構成を示すブロック図である。
【００１９】
図１に示すように、電子ブックリーダー１００は、筐体１０１と、筐体１０１の一方の面に形成された矩形状の開口部１０１ａに装着された電気光学パネル１１２とを備えている。筐体１０１には、ページ送りボタン１０５と、ページ戻しボタン１０６と、決定ボタン１０８と、スキップ送りボタン１１５と、スキップ戻しボタン１１６と、が設けられている。
【００２０】
ページ送りボタン１０５は、電気光学パネル１１２に現在表示されているドキュメント（画像）の次ページ以降を、１回押される毎に１ページずつ送って表示させる機能を起動する操作部である。ページ戻しボタン１０６はドキュメントの前ページ以前を、１回押される毎に１ページずつさかのぼって表示させる機能を起動する操作部である。
スキップ送りボタン１１５は、１回押される毎に、例えば１０ページ先のページを表示させる機能を起動する操作部である。スキップ戻しボタン１１６は、１回押される毎に、例えば１０ページ前のページを表示させる機能を起動する操作部である。スキップ送りボタン１１５及びスキップ戻しボタン１１６のページスキップ数は任意に設定することができる。
【００２１】
電子ブックリーダー１００は、図２に示すように、ＣＰＵ（Central Processing Unit；制御部、演算部）１０２、表示部制御装置１１０、記憶装置１１１、電気光学パネル１１２、入力装置１１３、パルスカウンタ１１４、ＶＹ電源１６１、ＶＸ電源１６２、及び共通電源１６３を備えている。
【００２２】
なお、図２に示すＣＰＵ１０２には、図示略のワークメモリ及びプログラムメモリが接続されている。ワークメモリはＣＰＵ１０２の作業領域を構成するＲＡＭ（Random Access Memory）であり、プログラムメモリは各種プログラムを保持したＲＯＭ（Read Only Memory）である。これらのワークメモリやプログラムメモリは、記憶装置１１１に含まれていてもよく、記憶装置１１１とは別の記憶装置として設けられていてもよい。あるいは、ＣＰＵ１０２にワークメモリやプログラムメモリが内蔵されている構成としてもよい。
【００２３】
ＣＰＵ１０２は、プログラムメモリに格納された基本制御プログラムやアプリケーションプログラム等の各種プログラム及びデータを読み込み、それら各種プログラム及びデータをワークメモリ（図示略）内に設けられるワークエリアに展開実行して、電子ブックリーダーが備える各部の制御を実行する。また本実施形態において、ＣＰＵ１０２は、複数のページを連続表示させる際、画面を書き換える回数の残数に対応する制御値ｃの演算も行うため、画像が書き換えられる毎に制御値ｃを減ずる演算部としても機能する。
ＣＰＵ１０２には、表示部制御装置１１０とパルスカウンタ１１４とが接続されている。表示部制御装置１１０には電気光学パネル１１２及び共通電源１６３が接続され、電気光学パネル１１２にＶＹ電源１６１とＶＸ電源１６２が接続されている。一方、パルスカウンタ１１４には入力装置１１３が接続されている。
【００２４】
入力装置１１３は、図１に示したページ送りボタン１０５、ページ戻しボタン１０６、決定ボタン１０８、スキップ送りボタン１１５、及びスキップ戻しボタン１１６を含み、いずれかのボタンが操作（押下）されると、押されたボタンに対応する信号（パルス）がパルスカウンタ１１４に出力される。
【００２５】
パルスカウンタ１１４は、制御値ｃの初期値を取得する制御値取得部である。パルスカウンタ１１４は、入力装置１１３から入力される入力パルスを所定期間カウントし、得られたカウント値を制御値ｃとしてＣＰＵ１０２に出力する。例えば、パルスカウンタ１１４は、所定期間内に入力装置１１３のボタンが押された回数を記憶する記憶領域と、記憶領域に保持されたカウント値を、所定期間毎又はＣＰＵ１０２からの要求に応じてＣＰＵ１０２に出力する制御回路とを備えた構成とすることができる。記憶領域に保持されたカウント値は、制御値ｃを出力する毎にクリアされる。
【００２６】
なお、パルスカウンタ１１４は、上記のようにカウント値をそのまま制御値ｃとして出力する構成（カウント値とページ送り数とが一対一に対応する構成）に限られず、入力パルスを所定の変換アルゴリズムに基づいて変換し、この変換値を制御値ｃとしてＣＰＵ１０２に出力する構成としてもよい。本実施例ではカウント値がそのまま制御値ｃとして出力されるため、ｃは整数である。
例えば、入力装置１１３がジョグダイヤル等の多数のパルスを出力するデバイスである場合には、出力されるパルス数をそのままページ送り数とすると過大なページ数になってしまうことがある。このような場合に、複数パルスに対して１ページとなるようにカウント値を変換して制御値ｃを設定することが好ましい。
【００２７】
表示部制御装置１１０は、全体制御部１４０と、画像データ書込制御部１４１と、タイミング信号生成部１４２と、共通電源制御部１４３と、記憶装置制御部１４４と、画像データ読出制御部１４５と、画像信号生成部１４６と、選択信号生成部１４７とを有する。
全体制御部１４０に画像データ書込制御部１４１と、タイミング信号生成部１４２と、共通電源制御部１４３とが接続されている。画像データ書込制御部１４１には記憶装置制御部１４４が接続されている。タイミング信号生成部１４２には画像データ読出制御部１４５と画像信号生成部１４６と選択信号生成部１４７とが接続されている。共通電源制御部１４３には共通電源１６３が接続されている。
表示部制御装置１１０は、全体制御部１４０においてＣＰＵ１０２と接続され、画像信号生成部１４６及び選択信号生成部１４７において電気光学パネル１１２と接続され、記憶装置制御部１４４において記憶装置１１１と接続されている。
【００２８】
記憶装置１１１は、いずれもＲＡＭからなる前画像保持部１２０と次画像保持部１２１とを備えている。前画像保持部１２０は電気光学パネル１１２に表示させた後の画像データ（現在表示されている画像に対応する画像データ）を保持する記憶領域であり、次画像保持部１２１は電気光学パネル１１２に次に表示させる画像データ（更新画像に対応する画像データ）を保持する記憶領域である。
前画像保持部１２０及び次画像保持部１２１はいずれも表示部制御装置１１０の記憶装置制御部１４４と接続されており、表示部制御装置１１０は、記憶装置制御部１４４を介して記憶装置１１１に画像データの読み書きを実行する。
【００２９】
電気光学パネル１１２は、電気泳動素子やコレステリック液晶素子などの記憶性表示素子を備えた表示部１５０と、表示部１５０に接続された走査線駆動回路１５１及びデータ線駆動回路１５２と、を備えている。表示部１５０には共通電源１６３が接続されている。走査線駆動回路１５１には、ＶＹ電源１６１と、表示部制御装置１１０の選択信号生成部１４７とが接続されている。データ線駆動回路１５２には、ＶＸ電源１６２と、表示部制御装置１１０の画像信号生成部１４６が接続されている。
【００３０】
ここで図３は、電気光学パネル１１２の電気的構成を示す図である。
電気光学パネル１１２の表示部１５０には、図３に示すように、図示のＸ軸方向に延在する複数の走査線Ｇ（Ｇ１、Ｇ２、…、Ｇｍ）と、Ｙ軸方向に延在する複数のデータ線Ｓ（Ｓ１、Ｓ２、…、Ｓｎ）とが形成されている。走査線Ｇとデータ線Ｓとの交差部に対応して画素１０が形成されている。画素１０は、Ｙ軸方向に沿ってｍ個、Ｘ軸方向に沿ってｎ個のマトリクス状に配列されており、各々の画素１０に走査線Ｇとデータ線Ｓとが接続されている。また表示部１５０には、共通電源１６３から延びる共通電極配線ＣＯＭと容量線Ｃとが形成されている。
【００３１】
画素１０には、画素スイッチング素子としての選択トランジスタ２１と、保持容量２２と、画素電極２４と、共通電極２５と、電気光学物質層２６とが形成されている。
選択トランジスタ２１はＮ−ＭＯＳ（Negative-channel Metal Oxide Semiconductor）ＴＦＴで構成されている。選択トランジスタ２１のゲートに走査線Ｇが接続され、ソースにデータ線Ｓが接続され、ドレインには保持容量２２の一方の電極と画素電極２４とが接続されている。
保持容量２２は、誘電体膜を介して対向配置された一対の電極からなる。保持容量２２の一方の電極は選択トランジスタ２１のドレインに接続され、他方の電極は容量線Ｃに接続されている。保持容量２２によって選択トランジスタ２１を介して書き込まれた画像信号を一定期間だけ維持することができる。
電気光学物質層２６は、電気泳動素子やコレステリック液晶素子、電子粉粒素子などからなる。例えば電気泳動素子としては、電気泳動粒子と分散媒とが封入されたマイクロカプセルを配列したものや、隔壁と基板により区画された空間に電気泳動粒子と分散媒とを封入したものが挙げられる。
【００３２】
走査線駆動回路１５１は、表示部１５０に形成された走査線Ｇと接続されており、各々の走査線Ｇを介してそれぞれ対応する行の画素１０に接続されている。走査線駆動回路１５１は、図２に示したタイミング信号生成部１４２から選択信号生成部１４７を介して供給されるタイミング信号に基づいて、走査線Ｇ１、Ｇ２、…、Ｇｍの各々に選択信号生成部１４７で生成された選択信号をパルス状に順次供給し、走査線Ｇの一本一本を排他的に順次選択状態にする。選択状態とは、走査線Ｇに接続される選択トランジスタ２１がオンしている状態である。
【００３３】
データ線駆動回路１５２は、表示部１５０に形成されたデータ線Ｓと接続されており、各々のデータ線Ｓを介してそれぞれ対応する列の画素１０に接続されている。データ線駆動回路１５２は、タイミング信号生成部１４２から画像信号生成部１４６を介して供給されるタイミング信号に基づいて、データ線Ｓ１、Ｓ２、…、Ｓｎに画像信号生成部１４６で生成された画像信号を供給する。
【００３４】
なお、後述する動作説明では、画像信号はハイレベル電位ＶＨ（例えば１５Ｖ）又はローレベル電位ＶＬ（例えば０Ｖや−１５Ｖ）の２値的な電位をとるものとしている。また本実施形態では、黒色（第１の階調）が表示されるべき画素１０に対してハイレベルの画像信号（ＶＨ）が供給され、白色（第２の階調）が表示されるべき画素１０に対してローレベルの画像信号（ＶＬ）が供給されるものとする。
【００３５】
また、共通電極２５には、共通電源１６３から共通電極電位Ｖcomが供給され、容量線Ｃには、共通電源１６３から容量線電位Ｖｓｓが供給される。
ただし後述する駆動方法の説明では、説明の簡単のために、共通電極電位Ｖcomは、ローレベル電位ＶＬ（例えば０Ｖや−１５Ｖ）、又はハイレベル電位ＶＨ（例えば１５Ｖ）の２値的な電位をとるものとする。また容量線電位Ｖｓｓは、基準電位（例えば０Ｖ）に固定されているものとする。
【００３６】
なお、本実施形態では走査線駆動回路１５１とデータ線駆動回路１５２とを備えたアクティブマトリクス方式の電気光学パネル１１２を示したが、電気光学パネル１１２としては、パッシブマトリクス方式やセグメント駆動方式の電気光学パネルであってもよい。
【００３７】
（ドキュメント表示動作）
次に、電子ブックリーダーにおけるドキュメント表示動作について、図面を参照しつつ説明する。
本実施形態の電子ブックリーダー１００は、入力装置１１３においてボタンが複数回連続して押された場合にも、複数のページを次々に連続表示させることができる。より詳しくは、連続したページ送り（ページ戻し）の指示が入力されたときに、画像を書き換えるべき回数を示す制御値ｃを取得し、画像を書き換える毎に制御値ｃを減算する。画像を書き換える際、すなわち次のページを表示する際、制御値ｃの値に応じて異なる駆動シーケンス（駆動方法）を設定し、かかる駆動シーケンスを用いて画像の表示を実行する。これにより、連続したページ送り動作中は高速に画像を表示させる一方で、ページ送りの最後の固定表示されるページでは高品質の表示が得られるようにしている。
【００３８】
図４は、本実施形態の電子ブックリーダー１００におけるページ切り換え処理のフローチャートである。図５は、パルスカウンタの動作フローを示す図である。図６は、駆動シーケンスを構成する各動作における駆動波形を示す図である。
【００３９】
本実施形態のページ切り換え処理は、図１に示した入力装置１１３（ページ送りボタン１０５、ページ戻しボタン１０６、スキップ送りボタン１１５、スキップ戻しボタン１１６等）が操作された場合に実行される処理である。あるいは、入力装置１１３において連続した複数回のボタン押下がなされた場合にのみ本実施形態のページ切り換え処理が実行されるようにしてもよい。
【００４０】
なお、当然ながら、ページ切り換え処理において電気光学パネル１１２に表示される画像は、入力装置１１３において操作されたボタンの種類に応じて異なるものとなる。
例えば、入力装置１１３のページ送りボタン１０５が複数回押下された場合には、ドキュメントの次ページ以降のページが、ボタンを押下した回数に応じた数（制御値ｃ）だけ逐次的に表示される。また、入力装置１１３のページ戻しボタン１０６が複数回押下された場合には、ドキュメントの前ページ以前のページが、ボタンを押下した回数に応じた数（制御値ｃ）だけ逐次的に表示される。
さらに、入力装置１１３のスキップ送りボタン１１５が複数回押下された場合には、ドキュメントの１０ページ先から表示を開始し、ボタンを押下した回数に応じた数（制御値ｃ）だけ１０ページずつスキップしながら逐次的にページが送られる。入力装置１１３のスキップ戻しボタン１１６が複数回押下された場合には、ドキュメントの１０ページ前から表示を開始し、ボタンを押下した回数に応じた数（制御値ｃ）だけ１０ページずつスキップしながら逐次的にページが戻される。
本実施例では、制御値ｃ（整数）が正の場合はページ送りを行なうが、制御値ｃが０（ゼロ）または負の場合はページ送りを行なわないこととする。言い換えれば、画像を書き換えるための制御値ｃの下限値を１としているため、いずれの場合も、画像が書き換えられる回数はｃ回である。
【００４１】
以下、図４から図６を参照しつつ、本実施形態のページ切り換え処理について詳細に説明するが、以下の説明では、発明を理解しやすくするために電気光学物質層２６が電気泳動素子であるとして説明する。
【００４２】
図７は、電気泳動素子の動作説明図である。図７（ａ）は、画素を白表示する場合、図７（ｂ）は、画素を黒表示する場合をそれぞれ示している。
図７（ａ）に示す白表示の場合には、共通電極２５が相対的に高電位、画素電極２４が相対的に低電位に保持される。これにより、負に帯電した白色粒子２７が共通電極２５に引き寄せられる一方、正に帯電した黒色粒子２８が画素電極２４に引き寄せられる。その結果、表示面側となる共通電極２５側からこの画素を見ると、白色（Ｗ）が認識される。
図７（ｂ）に示す黒表示の場合、共通電極２５が相対的に低電位、画素電極２４が相対的に高電位に保持される。これにより、正に帯電した黒色粒子２８が共通電極２５に引き寄せられる一方、負に帯電した白色粒子２７が画素電極２４に引き寄せられる。その結果、共通電極２５側からこの画素を見ると黒色（Ｂ）が認識される。
【００４３】
本実施形態のページ切り換え処理は、図４に示すステップＳ１０１〜Ｓ１０８を含む。
まず、ステップＳ１０１において、ＣＰＵ１０２は、電子ブックリーダー１００がページ切り換え可能な状態であるかについて判定する。例えば、ドキュメントではなく操作メニューや選択ダイアログなどが電気光学パネル１１２に表示されている場合には、ページ切り換えをすることができない状態であるから、ページ切り換え処理はそのまま終了する。一方、電子ブックリーダー１００の電気光学パネル１１２にドキュメントが表示され、ページ切り換え可能な状態である場合には、ステップＳ１０２に移行する。
【００４４】
次に、ステップＳ１０２において、ＣＰＵ１０２はパルスカウンタ１１４から出力される制御値ｃを取得する。続くステップＳ１０３において、制御値ｃが０（ゼロ）であるか否かを判定する。制御値ｃが０であればページ送りは行われないため、ページ切り換え処理はそのまま終了する。
制御値ｃが０である場合とは、後述するステップＳ１０８での演算結果がｃ＝０となる場合（すなわち入力装置１１３の操作によりユーザーから指示されたページ数の連続表示動作（ページ送り）が終了した場合）が典型的である。
上記以外にも、例えばページ切り換えに関するボタン以外のボタン（例えば決定ボタン１０８）が押下された場合や、入力装置１１３がジョグダイヤルであって、ジョグダイヤルから出力されたパルス数が１ページ送りに相当するパルス数に満たない場合なども制御値ｃは０となる。
一方、制御値ｃが１以上の整数である場合には、ステップＳ１０４に移行する。
【００４５】
ここで、パルスカウンタ１１４の動作について図５を参照しつつ説明する。
図５に示すように、パルスカウンタ１１４の動作フローは、ステップＳ２０１〜Ｓ２０７を含む。電子ブックリーダー１００では、消費電力低減のために、パルスカウンタ１１４で計時に用いるタイマーが休止状態とされることもあり、このような場合には、入力装置１１３が操作されたときにタイマーを起動する必要がある。そこで図５には、タイマー起動を含むパルスカウンタ１１４の動作が示されている。
【００４６】
図５のステップＳ２０１に示すように、パルスカウンタ１１４は、入力装置１１３からの入力パルスの供給を監視しており、入力パルスを検出した場合に、ステップＳ２０２以降を実行し、制御値ｃを出力する。
【００４７】
パルスカウンタ１１４は、入力パルスを検出すると、タイマーの状態を判定するステップＳ２０２に移行する。タイマーが休止中であると判定された場合には、ステップＳ２０３に移行してタイマーを起動した後、ステップＳ２０４に移行する。タイマーがすでに起動されている場合には、ステップＳ２０２からステップＳ２０４へ移行する。
【００４８】
ステップＳ２０４では、入力装置１１３から供給された入力パルスがカウントされる（パルスカウンタ１１４が保持しているカウント値が１加算される）。続いて、ステップＳ２０５においてタイマーによって計測された経過時間が設定時間を超えているか否かが判定され、経過時間が設定時間以下である場合には、ステップＳ２０１に戻って入力パルスの監視を続行する。一方、設定時間を経過している場合には、ステップＳ２０６に移行し、カウント値に基づいて制御値ｃをＣＰＵ１０２に出力する。制御値ｃを出力した後は、ステップＳ２０７においてカウント値をクリアし、処理を終了する。
【００４９】
図４に戻り、ページ切り換え処理のステップＳ１０４では、ＣＰＵ１０２は、取得した制御値ｃを用いたデータテーブルの参照を行い、選択すべき駆動シーケンス（駆動方法）を特定する。
以下の表１は、ステップＳ１０４で参照されるデータテーブルの概略を示す表である。また表２は、表１に示す駆動シーケンスの構成を示す表である。
【００５０】
【表１】
0005454238.tif 000002
【００５１】
【表２】
0005454238.tif 000003
【００５２】
表１において、Ｎは３以上の自然数であり、Ｍは２以上Ｎ未満の自然数である。これらＭ、Ｎは適宜に設定される定数であり、特に限定されない。
表１に示すデータテーブルでは、制御値ｃの値を３水準に分類し、各水準に駆動シーケンスＳＱ１１、駆動シーケンスＳＱ１２、駆動シーケンスＳＱ１３を対応させている。ＣＰＵ１０２は、ステップＳ１０２で取得した制御値ｃを用いて上記のデータテーブルを参照し、制御値ｃが属する水準に対応する駆動シーケンスＳＱ１１〜ＳＱ１３を取得する。
【００５３】
例えば、Ｎ＝８、Ｍ＝４に設定されている場合には、制御値ｃが８以上であるときに駆動シーケンスＳＱ１３が選択され、制御値ｃが４〜７であるときに駆動シーケンスＳＱ１２が選択され、制御値ｃが１〜３であるときに駆動シーケンスＳＱ１１が選択される。
また、Ｎ＝４、Ｍ＝２に設定されている場合には、制御値ｃが４以上であるときに駆動シーケンスＳＱ１３が選択され、制御値ｃが２又は３であるときに駆動シーケンスＳＱ１２が選択され、制御値ｃが１であるときにのみ駆動シーケンスＳＱ１１が選択される。
【００５４】
駆動シーケンスＳＱ１１〜ＳＱ１３は、表２に示すように、電気光学パネル１１２において実行される動作の構成が異なっている。以下、各駆動シーケンスについて、表２及び図６を参照しつつ説明する。
【００５５】
＜駆動シーケンスＳＱ１１＞
駆動シーケンスＳＱ１１は、制御値ｃが第１の水準（１≦ｃ＜Ｍ）に属する場合に選択される駆動シーケンスであり、表２に示すように、反転消去ステップ（第１の消去動作）と、全白消去ステップ（第２の消去動作）と、画像表示ステップ（画像表示動作）とからなる。また図６（ａ）には、表示部１５０の１つの画素１０における画素電極２４と共通電極２５にそれぞれ入力される電位が示されており、ＳＴ１１は反転消去ステップ、ＳＴ１２は全白消去ステップ、ＳＴ１３は画像表示ステップにそれぞれ対応する。
前述したように、画像を書き換えるための制御値ｃの下限値は１に設定されており、少なくとも制御値ｃが当該下限値と等しいときは、駆動シーケンスＳＱ１１が選択される。
【００５６】
反転消去ステップＳＴ１１とは、ページ切り換え処理の直前に電気光学パネル１１２に表示されていた画像（前画像）のうち白を表示していた画素に対して黒を書き込むことによって、表示部１５０の全面（全画素）を黒表示に移行させる動作である。これによって、前画像を消去することができる。図６では、このような消去を、反転全黒消去と示してある。
図６（ａ）には、反転消去ステップＳＴ１１において黒表示動作させる画素１０における入力電位が示されている。図示のように画素電極２４（電位Ｖｓ）にハイレベル電位ＶＨが入力され、基準電位ＧＮＤに保持された共通電極２５（電位Ｖcom）に対して高電位とされることで、画素１０が黒表示される（図７（ｂ）参照）。
なお、前画像において黒表示されていた画素１０の画素電極２４には、共通電極２５の電位Ｖcomと同じ電位（基準電位）が入力され、画素１０は黒表示を維持する。
【００５７】
全白消去ステップＳＴ１２とは、表示部１５０の全画素に対して白を書き込むことによって、全面を白表示させる動作である。全白消去ステップＳＴ１２では、図６（ａ）に示すように、全ての画素１０の画素電極２４にローレベル電位ＶＬが入力され、画素電極２４は共通電極２５（電位Ｖcom）に対して低電位に保持される（図７（ａ）参照）。
【００５８】
画像表示ステップＳＴ１３では、表示部１５０に次に表示させるべき画像（次画像）の画像データに基づく表示が成される。表２に示すように、駆動シーケンスＳＱ１１における画像表示ステップＳＴ１３は単色書込であり、具体的には、次画像において黒を表示すべき画素に対して黒を書き込むことによって、全白消去ステップＳＴ１２において全面白表示されている表示部１５０に、次画像の黒表示部分のみを描画する。図６では、このような書き込み動作を、黒成分書き込みと示してある。この画像表示ステップＳＴ１３によって、次画像を表示することができる。
図６（ａ）には、画像表示ステップＳＴ１３において黒表示される画素１０における入力電位が示されている。かかる画素１０では、画素電極２４にハイレベル電位ＶＨが入力され、画素電極２４が共通電極２５に対して高電位に保持される。一方、白表示を維持する画素１０では、画素電極２４に共通電極２５の電位Ｖcomと同じ基準電位が入力される。
【００５９】
＜駆動シーケンスＳＱ１２＞
駆動シーケンスＳＱ１２は、制御値ｃが第２の水準（Ｍ≦ｃ＜Ｎ）に属する場合に選択される駆動シーケンスであり、表２に示すように、反転消去ステップ（消去動作）と、画像表示ステップ（画像表示動作）とからなる。
図６（ｂ）（ｃ）には、駆動シーケンスＳＱ１２の２種類の態様（ＳＱ１２Ａ，ＳＱ１２Ｂ）が示されており、それぞれの態様について表示部１５０の１つの画素１０における画素電極２４と共通電極２５への入力波形が示されている。図６において、ＳＴ１１ａ、ＳＴ１１ｂは反転消去ステップ、ＳＴ１３ａ、ＳＴ１３ｂは画像表示ステップにそれぞれ対応する。
【００６０】
まず、図６（ｂ）に示す駆動シーケンスＳＱ１２Ａの反転消去ステップＳＴ１１ａでは、ページ切り換え処理の直前に電気光学パネル１１２に表示されていた画像（前画像）のうち白を表示していた画素に対して黒を書き込むことによって、表示部１５０の全面（全画素）を黒表示に移行させる。
図６（ｂ）には、反転消去ステップＳＴ１１ａにおいて黒表示される画素１０の入力電位が示されている。かかる画素１０では、画素電極２４（電位Ｖｓ）にハイレベル電位ＶＨが入力され、基準電位ＧＮＤに保持された共通電極２５（電位Ｖcom）に対して高電位とされる。一方、前画像において黒表示されていた画素１０の画素電極２４には、共通電極２５の電位Ｖcomと同じ電位（基準電位）が入力される。
【００６１】
次に、画像表示ステップＳＴ１３ａでは、表示部１５０に表示させるべき次画像の画像データに基づく表示が成される。具体的には、次画像において白を表示すべき画素に対して白を書き込むことによって、反転消去ステップＳＴ１１ａで全面黒表示された表示部１５０に対して、次画像の白成分（白表示部分）が書き込まれる。図６では、このような書き込み動作を、白成分書き込みと示してある。
図６（ｂ）には、画像表示ステップＳＴ１３ａにおいて白表示される画素１０における入力電位が示されている。この画素１０では、画素電極２４にローレベル電位ＶＬが入力され、基準電位ＧＮＤに保持された共通電極２５に対して低電位とされる。一方、表示を変化させない画素１０では、画素電極２４に共通電極２５の電位Ｖcomと同じ基準電位が入力される。
【００６２】
一方、駆動シーケンスＳＱ１２Ｂでは、反転消去ステップＳＴ１１ｂで全面白表示された表示部１５０に対して、画像表示ステップＳＴ１３ｂにおいて次画像の黒成分を書き込む。駆動シーケンスＳＱ１２Ａと駆動シーケンスＳＱ１２Ｂは、互いに白と黒の関係が逆になっている。
したがって、図６（ｃ）に示すように、反転消去ステップＳＴ１１ｂでは、駆動される（白表示される）画素１０の画素電極２４にローレベル電位ＶＬが入力され、駆動されない画素１０の画素電極２４には基準電位ＧＮＤが入力される。
画像表示ステップＳＴ１３ｂでは、駆動される（黒表示される）画素１０の画素電極２４にハイレベル電位ＶＨが入力され、駆動されない画素１０の画素電極２４は基準電位ＧＮＤが入力される。
【００６３】
駆動シーケンスＳＱ１２Ａと駆動シーケンスＳＱ１２Ｂとは、消去動作を１回のみ行い、その後に画像を表示させる点は共通しており、表示速度や消費電力も同等である。したがって、電子ブックリーダー１００には、駆動シーケンスＳＱ１２Ａ、ＳＱ１２Ｂの少なくとも一方が備えられていればよい。
【００６４】
その一方で、駆動シーケンスＳＱ１２Ａ、ＳＱ１２Ｂは、それぞれ以下に示す特性を有しているため、各態様の特性と電気光学パネル１１２の特性（残像の発生しやすさ、応答速度など）を勘案して、場面ごとに駆動シーケンスを設定可能とすることも好ましい。
駆動シーケンスＳＱ１２Ａでは、反転消去ステップＳＴ１１ａにおいて表示部１５０が全面黒表示されるため残像は生じにくいが、ユーザーに画面の明滅（フラッシング）が視認されやすい。一方、駆動シーケンスＳＱ１２Ｂでは、反転消去ステップＳＴ１１ｂにおいて黒表示部分を白表示に移行させるため、前画像で白表示されていた画素に残像を生じやすいが、画面のフラッシングは発生しない。
なお本明細書では、反転消去ステップＳＴ１１のように、ページ切り換え処理の直前に電気光学パネル１１２に表示されていた画像（前画像）のうち第１の階調、例えば白、を表示していた画素に対して第２の階調、例えば黒、を書き込むことによって、表示部１５０の全面（全画素）を第２の階調に移行させる動作を、反転画像を書き込む、と表現する。ページ切り換え処理の直前に電気光学パネル１１２に表示されていた画像（前画像）のうち第２の階調を表示していた画素に対しては書き込みを行なわない。
【００６５】
＜駆動シーケンスＳＱ１３＞
駆動シーケンスＳＱ１３は、制御値ｃが第３の水準（ｃ≧Ｎ）に属する場合に選択される駆動シーケンスであり、表２に示すように、画像表示ステップ（画像表示動作）のみからなる。
駆動シーケンスＳＱ１３における画像表示ステップＳＴ１３ｃでは、表示部１５０に表示される次画像と、直前に表示されていた前画像との差分データを用いて画素１０を駆動する。すなわち、前画像から次画像に表示画像を切り換える際に、階調が変化する画素１０のみを駆動し、階調が変化しない画素１０の表示状態はそのまま保持する。具体的には、前画像において黒を表示していた画素のうち、次画像において白を表示する画素に対して白を書き込み、前画像において白を表示していた画素のうち、次画像において黒を表示する画素に対して黒を書き込む。しかし、前画像において黒を表示していた画素のうち、次画像においても黒を表示する画素と、前画像において白を表示していた画素のうち、次画像においても白を表示する画素と、は駆動せず、それらの画素の表示状態をそのまま保持する。本明細書では、このような書き込み動作を、差分書き込み、あるいは差分画像表示動作と呼ぶ。
【００６６】
図６（ｄ）には、駆動シーケンスＳＱ１３の画像表示ステップＳＴ１３ｃにおける画素１０の入力電位が示されている。画像表示ステップＳＴ１３ｃにおいて黒表示される画素１０では、画素電極２４（電位Ｖｓ）にハイレベル電位ＶＨが入力され、共通電極２５（電位Ｖcom）に対して相対的に高電位とされる。一方、白表示される画素１０では画素電極２４にローレベル電位ＶＬが入力されることで共通電極２５に対して相対的に低電位とされる。これにより黒表示部分の画素１０と白表示部分の画素１０を同時に駆動し、前画像の消去と次画像の書込を同時に行うことができる。
【００６７】
駆動シーケンスＳＱ１３では、独立した消去ステップを設けず、表示部１５０の表示画像を上書きする形で次画像を表示させるため、非常に高速に画像を切り換えることができる。その一方で、階調の異なる画素１０のみを書き換えるため、駆動シーケンスＳＱ１３によって駆動した場合は、駆動シーケンスＳＱ１１によって駆動した場合よりも残像が非常に生じやすい。
【００６８】
再び図４に戻る。本実施形態のページ切り換え処理では、図４に示したステップＳ１０４において、ＣＰＵ１０２は制御値ｃを用いてテーブル（表１）を参照し、続くステップＳ１０５においてテーブルから取得した駆動シーケンスを設定する。
【００６９】
ステップＳ１０５において駆動シーケンスが設定されたならば、続くステップＳ１０６において、ＣＰＵ１０２は、操作されたボタンに関する情報に基づいて表示させる画像データを決定し、かかる画像データと駆動シーケンスの設定値とを含むパネル駆動要求を生成し、表示部制御装置１１０に対して出力する。その後、ステップＳ１０７に移行すると、ＣＰＵ１０２は、電気光学パネル１１２における画像表示動作が完了したか否かを監視し、パネル駆動が終了するまで処理を中断する。
【００７０】
一方、パネル駆動要求を受信した表示部制御装置１１０は、パネル駆動要求において設定された駆動シーケンスに則って、パネル駆動要求に含まれる次画像の画像データを電気光学パネル１１２に表示させる。
【００７１】
ここで、電気光学パネル１１２に画像を表示させる動作の一例について説明する。以下では、表示部制御装置１１０に出力されるパネル駆動要求において、駆動シーケンスＳＱ１１が設定されているものとして説明する。
【００７２】
上記の例において、表示部制御装置１１０の全体制御部１４０は、受信した次画像の画像データを画像データ書込制御部１４１に出力するとともに、駆動シーケンスＳＱ１１の反転消去ステップＳＴ１１を実行するための命令を、タイミング信号生成部１４２及び共通電源制御部１４３に出力する。
【００７３】
画像データ書込制御部１４１では、受信した次画像の画像データを、記憶装置制御部１４４を介して記憶装置１１１の次画像保持部１２１に記憶させる。このときに、前画像保持部１２０には、現在表示されているドキュメントのページの画像データが保持されている。
【００７４】
タイミング信号生成部１４２は、画像データ読出制御部１４５に対して、反転消去ステップＳＴ１１で用いる画像データ（前画像の画像データ）を記憶装置１１１の前画像保持部１２０から読み出させる命令を出力する。画像データ読出制御部１４５は、記憶装置制御部１４４を介して前画像保持部１２０から前画像の画像データを取得し、画像信号生成部１４６に出力する。画像信号生成部１４６では、入力された前画像の画像データの反転画像を用いて画像信号を生成し、生成した画像信号をタイミング信号とともにデータ線駆動回路１５２に出力する。また、選択信号生成部１４７は、タイミング信号生成部１４２の制御のもと選択信号を生成し、生成した選択信号をタイミング信号とともに走査線駆動回路１５１に出力する。
共通電源制御部１４３は、共通電源１６３に対して、共通電極２５に基準電位ＧＮＤを供給する命令を出力する。
【００７５】
そして、電気光学パネル１１２では、選択信号を入力された走査線駆動回路１５１と画像信号を入力されたデータ線駆動回路１５２とによって画素１０の画素電極２４に、前画像の反転画像に基づく画像信号が入力される。また、共通電極２５には基準電位ＧＮＤが入力される。これにより、前画像を表示していたときに白表示されていた画素１０が黒表示に移行される。すなわち、反転消去ステップＳＴ１１が実行され、表示部１５０の全面が黒表示とされることで前画像が消去される。
【００７６】
次に、全体制御部１４０は、全白消去ステップＳＴ１２を実行するための命令をタイミング信号生成部１４２及び共通電源制御部１４３に出力する。
タイミング信号生成部１４２は、画像信号生成部１４６及び選択信号生成部１４７を制御し、全白消去ステップＳＴ１２で用いる画像信号を画像信号生成部１４６で生成させ、生成された画像信号をタイミング信号とともにデータ線駆動回路１５２に出力させる。また、選択信号生成部１４７において選択信号を生成させ、生成された選択信号をタイミング信号とともに走査線駆動回路１５１に出力させる。
【００７７】
そして、電気光学パネル１１２では、選択信号を入力された走査線駆動回路１５１と画像信号を入力されたデータ線駆動回路１５２とによって、全ての画素１０の画素電極２４にローレベル電位の画像信号が入力され、共通電源１６３から共通電極２５に基準電位ＧＮＤが入力される。すなわち、全白消去ステップＳＴ１２が実行され、表示部１５０の全面が白表示となる。
【００７８】
次に、全体制御部１４０は、画像表示ステップＳＴ１３を実行するための命令をタイミング信号生成部１４２及び共通電源制御部１４３に出力する。
タイミング信号生成部１４２は、画像データ読出制御部１４５に対して、画像表示ステップＳＴ１３で用いる画像データ（次画像の画像データ）を記憶装置１１１の次画像保持部１２１から読み出させる命令を出力する。画像データ読出制御部１４５は、記憶装置制御部１４４を介して次画像保持部１２１から次画像の画像データを取得し、画像信号生成部１４６に出力する。画像信号生成部１４６では、入力された次画像の画像データを用いて画像信号を生成し、生成した画像信号をタイミング信号とともにデータ線駆動回路１５２に出力する。また、選択信号生成部１４７は、タイミング信号生成部１４２の制御のもと選択信号を生成し、生成した選択信号をタイミング信号とともに走査線駆動回路１５１に出力する。また共通電源制御部１４３は、共通電源１６３に対して、共通電極２５に基準電位ＧＮＤを供給する命令を出力する。
【００７９】
そして、電気光学パネル１１２では、選択信号を入力された走査線駆動回路１５１と画像信号を入力されたデータ線駆動回路１５２とによって、黒表示されるべき画素１０の画素電極２４にハイレベル電位の画像信号が入力され、共通電源１６３から共通電極２５に基準電位ＧＮＤが入力される。すなわち、画像表示ステップＳＴ１３が実行され、全面白表示されている表示部１５０の一部の画素１０が黒表示に変化することで、表示部１５０に次画像が表示される。
【００８０】
上記の次画像の表示が終了すると、ＣＰＵ１０２は図４に示したページ切り換え処理を再開する。
ステップＳ１０８において、ＣＰＵ１０２は、制御値ｃを１を減じた値に更新し、ステップＳ１０３に処理を戻す。そして、ステップＳ１０３において制御値ｃが０であると判定されるまで、ステップＳ１０３からステップＳ１０８の処理を繰り返す。すなわち、パルスカウンタ１１４において設定された制御値ｃの初期値に対応する回数だけ画像をえ書き換え、複数のページを連続表示させる。このとき、ステップＳ１０５では、経時的に変化する制御値ｃに応じて、駆動シーケンスＳＱ１１〜ＳＱ１３のうちいずれかの駆動シーケンスが選択されるため、電気光学パネル１１２では、表示させるページの残数に応じて異なる表示動作が行われる。
【００８１】
以上に説明した本実施形態の電子ブックリーダー１００では、入力装置１１３のボタンが連続して押下された場合に、ボタンが押下された回数に応じた制御値ｃの初期値を設定し、かかる制御値ｃに対応する数のページを逐次的に表示させる。
そして、１ページ表示させる毎に、つまり画像を１回書き換える毎に制御値ｃを１ずつ減じる操作を行いつつ、制御値ｃの値に応じて異なる駆動シーケンスを設定可能に構成している。
【００８２】
具体的には、制御値ｃが比較的大きい値（ｃ≧Ｎ）であるときには、前画像の消去と次画像の表示を同時に行う駆動シーケンスＳＱ１３が選択される。つまり、表示させるべきページの残数が多いときには、表示速度は最も高速であり、表示部１５０のフラッシングも生じない駆動シーケンスＳＱ１３が選択される。駆動シーケンスＳＱ１３は、表示部１５０に画像を上書きするため残像が生じやすいが、すぐに他のページに切り替わるため、ユーザーに不快感を与えることはない。
【００８３】
一方、制御値ｃが中間的な値（Ｍ≦ｃ＜Ｎ）であるときには、１回の消去を行った後で画像表示を行う駆動シーケンスＳＱ１２（ＳＱ１２Ａ又はＳＱ１２Ｂ）が選択される。すなわち、表示させるべきページの残数が減ってきたときには、駆動シーケンスＳＱ１３よりも低速ではあるが、駆動シーケンスＳＱ１３と比較すると残像の少ない表示が得られる駆動シーケンスＳＱ１２が選択される。これにより、ユーザーがページの内容を視認しやすくすることができる。
【００８４】
そして、制御値ｃが小さい値（１≦ｃ＜Ｍ）である場合には、２回の消去動作を行った後に次画像を表示させる駆動シーケンスＳＱ１１が選択される。制御値ｃが、少なくとも、画像を書き換えるための制御値ｃの下限値と等しいときは、駆動シーケンスＳＱ１１が選択される。すなわち、少なくとも最後に表示されるページでは、ほぼ残像のない高画質の表示が得られる駆動シーケンスＳＱ１１が選択される。駆動シーケンスＳＱ１１はステップ数が多いため表示速度は最も低速になり、また全面白表示、全面黒表示によるフラッシングが生じるが、ユーザーは目的ページの内容を明確に視認することができる。
【００８５】
このように、本実施形態の電子ブックリーダー１００によれば、連続してページ送りを行う場合に高速な画像表示が可能な駆動シーケンスを用い、表示が固定される最後のページでは表示品質を優先した駆動シーケンスを用いているので、高速なページ送りと高品質の表示を両立させることができる。
なお、本実施例では、制御値ｃを整数とし、かつ画像を書き換えるための制御値ｃの下限値を１としたが、画像を書き換えるための制御値ｃの下限値は１に限られるものではない。また、制御値ｃは整数である必要もない。
【００８６】
（第２実施形態）
以下、第２実施形態について図面を参照しつつ説明する。
第２実施形態は、ステップＳ１０４において参照されるデータテーブルと、各駆動シーケンスにおける動作構成を変更したものであり、上記以外の構成は第１実施形態と共通であるため、詳細な説明は省略する。
【００８７】
第２実施形態に係る電気光学装置は、画素１０に表示させる階調に応じて共通電極２５の電位を変化させる構成である。以下、詳細に説明する。
【００８８】
表３は、ステップＳ１０４で参照されるデータテーブルの概略を示す表である。また表４は、表３に示す駆動シーケンスの構成を示す表である。また図８は、表４に示す各動作における駆動波形を示す図である。
【００８９】
【表３】
0005454238.tif 000004
【００９０】
【表４】
0005454238.tif 000005
【００９１】
表３において、Ｎは２以上の自然数であり、適宜に設定される定数である。
表３に示すデータテーブルでは、制御値ｃの値を２水準に分類し、各水準に駆動シーケンスＳＱ２１、ＳＱ２２を対応させている。ＣＰＵ１０２は、ステップＳ１０２で取得した制御値ｃを用いて上記のデータテーブルを参照し、制御値ｃが属する水準に対応する駆動シーケンスＳＱ２１又はＳＱ２２を取得する。
例えば、Ｎ＝２に設定されている場合には、制御値ｃが２以上であるときに駆動シーケンスＳＱ２２が選択され、制御値ｃが１であるときにのみ駆動シーケンスＳＱ２１が選択される。
【００９２】
駆動シーケンスＳＱ２１、ＳＱ２２は、表４に示すように、電気光学パネル１１２において実行される動作の構成が異なっている。以下、各駆動シーケンスについて、表４及び図８を参照しつつ説明する。
【００９３】
＜駆動シーケンスＳＱ２１＞
駆動シーケンスＳＱ２１は、制御値ｃが第１の水準（１≦ｃ＜Ｎ）に属する場合に選択される駆動シーケンスであり、表４に示すように、反転消去ステップ（第１の消去動作）と、全白消去ステップ（第２の消去動作）と、画像表示ステップ（画像表示動作）とからなる。また図８（ａ）には、表示部１５０の１つの画素１０における画素電極２４と共通電極２５にそれぞれ入力される電位が示されており、ＳＴ２１は反転消去ステップ、ＳＴ２２は全白消去ステップ、ＳＴ２３は画像表示ステップにそれぞれ対応する。
【００９４】
反転消去ステップＳＴ２１は反転消去ステップＳＴ１１と同様に、ページ切り換え処理の直前に電気光学パネル１１２に表示されていた画像（前画像）のうち白を表示していた画素に対して黒を書き込むことによって、表示部１５０の全面（全画素）を黒表示に移行させる動作である。図８（ａ）に示す反転消去ステップＳＴ２１では、画素電極２４（電位Ｖｓ）にハイレベル電位ＶＨが入力される一方、共通電極２５（電位Ｖcom）にローレベル電位ＶＬが入力される。これにより画素電極２４が共通電極２５に対して高電位とされ、この画素１０は白表示から黒表示に移行する。
なお、反転消去ステップＳＴ２１では、前画像において黒表示されていた画素１０は駆動されないため、このような画素１０の画素電極２４には共通電極２５の電位Ｖcomと同じ電位（ローレベル電位ＶＬ）が入力される。
【００９５】
次に、全白消去ステップＳＴ２２では、表示部１５０の全面を白表示させる動作が実行される。図８（ａ）に示すように、全白消去ステップＳＴ２２では、全ての画素１０の画素電極２４にローレベル電位ＶＬが入力される一方、共通電極２５にハイレベル電位ＶＨが入力される。これにより画素電極２４が共通電極２５（電位Ｖcom）に対して低電位に保持され、全ての画素１０が白表示される。
【００９６】
次に、画像表示ステップＳＴ２３では、表示部１５０に次に表示させるべき画像（次画像）の画像データに基づく表示が成される。駆動シーケンスＳＱ２１における画像表示ステップＳＴ２３は、第１実施形態に係る画像表示ステップＳＴ１３と同様の単色書込である。すなわち、全白消去ステップＳＴ２２において全面白表示されている表示部１５０に、次画像の黒表示部分のみを描画することで、上記の次画像を表示させる。
画像表示ステップＳＴ２３において黒表示される画素１０では、図８（ａ）に示すように、画素電極２４にハイレベル電位ＶＨが入力され、共通電極２５にローレベル電位ＶＬが入力される。一方、画像表示ステップＳＴ２３において白表示を維持する画素１０の画素電極２４には、共通電極２５の電位Ｖcomと同じローレベル電位ＶＬが入力される。
【００９７】
＜駆動シーケンスＳＱ２２＞
駆動シーケンスＳＱ２２は、制御値ｃが第２の水準（ｃ≧Ｎ）に属する場合に選択される駆動シーケンスであり、表４に示すように、反転消去ステップ（消去動作）と、画像表示ステップ（画像表示動作）とからなる。
図８（ｂ）（ｃ）には、駆動シーケンスＳＱ２２の２種類の態様（ＳＱ２２Ａ，ＳＱ２２Ｂ）が示されており、それぞれの態様について表示部１５０の１つの画素１０における画素電極２４と共通電極２５への入力波形が示されている。図８において、ＳＴ２１ａ、ＳＴ２１ｂは反転消去ステップ、ＳＴ２３ａ、ＳＴ２３ｂは画像表示ステップにそれぞれ対応する。
【００９８】
まず、図８（ｂ）に示す駆動シーケンスＳＱ２２Ａの反転消去ステップＳＴ２１ａでは、ページ切り換え処理の直前に電気光学パネル１１２に表示されていた画像（前画像）のうち白を表示していた画素に対して黒を書き込むことによって、表示部１５０の全面（全画素）を黒表示に移行させる（反転全黒消去）。
図８（ｂ）に示す反転消去ステップＳＴ２１ａの場合、第１実施形態とは異なり、画素電極２４（電位Ｖｓ）にハイレベル電位ＶＨが入力され、共通電極２５（電位Ｖcom）にローレベル電位ＶＬが入力されることで画素１０が黒表示される。またこのとき、前画像において黒表示されていた画素１０では、画素電極２４に共通電極２５の電位Ｖcomと同じローレベル電位ＶＬが入力され、画素１０は駆動されない。
【００９９】
次に、画像表示ステップＳＴ２３ａでは、表示部１５０に表示させるべき次画像の画像データに基づく表示が成される。具体的には、反転消去ステップＳＴ２１ａで全面黒表示された表示部１５０に対して、次画像の白成分（白表示部分）が書き込まれる。かかるステップで白表示される画素１０では、図８（ｂ）に示すように、画素電極２４にローレベル電位ＶＬが入力され、共通電極２５にハイレベル電位ＶＨが入力される。一方、画像表示ステップＳＴ２３ａにおいて表示を変化させない画素１０では、画素電極２４に共通電極２５の電位Ｖcomと同じハイレベル電位ＶＨが入力される。
【０１００】
一方、駆動シーケンスＳＱ２２Ｂでは、反転消去ステップＳＴ２１ｂにおいて、前画像の反転画像を用いて表示部１５０を全白消去（反転全白消去）した後、画像表示ステップＳＴ２３ｂにおいて次画像の黒成分を書き込む。したがって、図８（ｃ）に示すように、反転消去ステップＳＴ２１ｂでは、駆動される画素１０の画素電極２４にローレベル電位ＶＬが入力され、共通電極２５にハイレベル電位ＶＨが入力される。画像表示ステップＳＴ２３ｂでは、駆動される画素１０の画素電極２４にハイレベル電位ＶＨが入力され、共通電極２５にローレベル電位ＶＬが入力される。
【０１０１】
第１実施形態と同様に、駆動シーケンスＳＱ２２Ａと駆動シーケンスＳＱ２２Ｂは、少なくともいずれか一方を備えていればよいが、場面に応じて切替可能に構成されていてもよい。
【０１０２】
以上に説明した第１変形例に係る電気光学装置においても、入力装置１１３のボタンが連続して押下された場合に、ボタンが押下された回数に応じた制御値ｃの初期値を設定し、かかる制御値ｃに対応する数のページを逐次的に表示させることができる。そして、１ページ表示させる毎に、つまり画像を１回書き換える毎に制御値ｃを１ずつ減じる操作を行いつつ、制御値ｃの値に応じて異なる駆動シーケンスを設定する。
【０１０３】
具体的には、制御値ｃが比較的大きい値（ｃ≧Ｎ）であるときには、１回の消去を行った後で画像表示を行う駆動シーケンスＳＱ２２（ＳＱ２２Ａ又はＳＱ２２Ｂ）が選択され、高速に画像が表示される。一方、制御値ｃが小さい値（１≦ｃ＜Ｍ）である場合には、２回の消去動作を行った後に次画像を表示させる駆動シーケンスＳＱ２１が選択される。すなわち、少なくとも最後に表示されるページでは、ほぼ残像のない高画質の表示を得られるようにしている。
【０１０４】
このように、第１変形例に係る電気光学装置においても、連続してページ送りを行う場合に高速な画像表示が可能な駆動シーケンスを用い、表示が固定される最後のページでは表示品質を優先した駆動シーケンスを用いているので、高速なページ送りと高品質の表示を両立させることができる。
【０１０５】
また、第１変形例の電気光学装置では、画素１０を黒表示させるときには共通電極２５にローレベル電位ＶＬを入力し、白表示させるときにはハイレベル電位ＶＨを入力する。したがって、表示部１５０に対して黒書込と白書込を同時に実行することはできず、第１実施形態の駆動シーケンスＳＱ１３を採用することはできない。
その一方で、ハイレベル電位ＶＨとローレベル電位ＶＬとの電位差を、そのまま画素電極２４と共通電極２５との電位差として用いることができるため、第１実施形態で用いた駆動方法と比較して、電気光学物質層２６に印加される駆動電圧を高くできるという利点が得られる。
すなわち、ハイレベル電位ＶＨとローレベル電位ＶＬが第１実施形態と同一であるとすれば、第１変形例に係る電気光学装置では、第１実施形態の２倍の電圧を電気光学物質層２６に印加することができる。したがって、第２実施形態に係る電気光学装置によれば、電気光学物質層２６への電圧印加時間を短縮し、高速に画像を表示させることも可能である。
【０１０６】
（第３実施形態）
次に、第３実施形態に係る電気光学装置では、共通電極２５の駆動方法が異なる駆動シーケンスを切替可能に備えた構成である。以下、第３実施形態について詳細に説明する。
【０１０７】
表５は、ステップＳ１０４で参照されるデータテーブルの概略を示す表である。また表６は、表５に示す駆動シーケンスの構成を示す表である。また図９は、表６に示す各動作における駆動波形を示す図である。
【０１０８】
【表５】
0005454238.tif 000006
【０１０９】
【表６】
0005454238.tif 000007
【０１１０】
表５において、Ｎは２以上の自然数であり、適宜に設定される定数である。
表５に示すデータテーブルでは、制御値ｃの値を２水準に分類し、各水準に駆動シーケンスＳＱ３１、ＳＱ３２を対応させている。ＣＰＵ１０２は、ステップＳ１０２で取得した制御値ｃを用いて上記のデータテーブルを参照し、制御値ｃが属する水準に対応する駆動シーケンスＳＱ３１又はＳＱ３２を取得する。
例えば、Ｎ＝２に設定されている場合には、制御値ｃが２以上であるときに駆動シーケンスＳＱ３２が選択され、制御値ｃが１であるときにのみ駆動シーケンスＳＱ３１が選択される。
【０１１１】
駆動シーケンスＳＱ３１、ＳＱ３２は、表６に示すように、電気光学パネル１１２において実行される動作の構成が異なっている。以下、各駆動シーケンスについて、表６及び図９を参照しつつ説明する。
【０１１２】
＜駆動シーケンスＳＱ３１＞
駆動シーケンスＳＱ３１は、制御値ｃが第１の水準（１≦ｃ＜Ｎ）に属する場合に選択される駆動シーケンスであり、表６に示すように、第１変形例における駆動シーケンスＳＱ２１と同様である。
駆動シーケンスＳＱ３１は、図９（ａ）に示すように、反転消去ステップ（第１の消去動作）ＳＴ３１と、全白消去ステップ（第２の消去動作）ＳＴ３２と、画像表示ステップ（画像表示動作）ＳＴ３３とからなる。各ステップにおける電気光学パネル１１２の動作も第１変形例と同様であるから、ここでは説明を省略する。
【０１１３】
＜駆動シーケンスＳＱ３２＞
駆動シーケンスＳＱ３２は、制御値ｃが第２の水準（ｃ≧Ｎ）に属する場合に選択される駆動シーケンスであり、表６に示すように、第１実施形態における駆動シーケンスＳＱ１３と同様である。
駆動シーケンスＳＱ３２は、図９（ｂ）に示すように、黒表示部分の画素１０と白表示部分の画素１０を同時に駆動し、前画像の消去と次画像の書込を同時に行う画像表示ステップＳＴ３３ａからなる。各ステップにおける電気光学パネル１１２の動作も第１実施形態と同様であるから、ここでは説明を省略する。
【０１１４】
以上に説明した第２変形例に係る電気光学装置においても、入力装置１１３のボタンが連続して押下された場合に、ボタンが押下された回数に応じた制御値ｃの初期値を設定し、かかる制御値ｃに対応する数のページを逐次的に表示させることができる。そして、１ページ表示させるごとに制御値ｃを１ずつ減じる操作を行いつつ、制御値ｃの値に応じて異なる駆動シーケンスを設定する。
【０１１５】
具体的には、制御値ｃが比較的大きい値（ｃ≧Ｎ）であるときには、前画像の消去と次画像の表示を同時に行う駆動シーケンスＳＱ３２が選択され、高速に画像が表示される。一方、制御値ｃが小さい値（１≦ｃ＜Ｍ）である場合には、２回の消去動作を行った後に次画像を表示させる駆動シーケンスＳＱ３１が選択される。すなわち、少なくとも最後に表示されるページでは、ほぼ残像のない高画質の表示を得られるようにしている。
【０１１６】
このように、第２変形例に係る電気光学装置においても、連続してページ送りを行う場合に高速な画像表示が可能な駆動シーケンスを用い、表示が固定される最後のページでは表示品質を優先した駆動シーケンスを用いているので、高速なページ送りと高品質の表示を両立させることができる。
【符号の説明】
【０１１７】
１００  電子ブックリーダー（電気光学装置）、１０１  筐体、１０２  ＣＰＵ（制御部、演算部）、１０５  ページ送りボタン、１０６  ページ戻しボタン、１０８  決定ボタン、１１０  表示部制御装置、１１１  記憶装置、１１２  電気光学パネル、１１３  入力装置、１１４  パルスカウンタ、１１５  スキップ送りボタン、１１６  スキップ戻しボタン、１２０  前画像保持部、１２１  次画像保持部、１４０  全体制御部、１４１  画像データ書込制御部、１４２  タイミング信号生成部、１４３  共通電源制御部、１４４  記憶装置制御部、１４５  画像データ読出制御部、１４６  画像信号生成部、１４７  選択信号生成部、１５０  表示部、１５１  走査線駆動回路、１５２  データ線駆動回路、１６１  ＶＸ電源、１６２  ＶＹ電源、１６３  共通電源、ｃ  制御値、ＳＱ１１，ＳＱ１２，ＳＱ１３，ＳＱ１３Ａ，ＳＱ１３Ｂ，ＳＱ２１，ＳＱ２２，ＳＱ２２Ａ，ＳＱ２２Ｂ，ＳＱ３１，ＳＱ３２  駆動シーケンス（駆動方法）
【図１】
0005454238.tif 000008
【図２】
0005454238.tif 000009
【図３】
0005454238.tif 000010
【図４】
0005454238.tif 000011
【図５】
0005454238.tif 000012
【図６】
0005454238.tif 000013
【図７】
0005454238.tif 000014
【図８】
0005454238.tif 000015
【図９】
0005454238.tif 000016